(57)【要約】【課題】途中参加の参加端末への資料情報の送信について、資料情報の送信元だった送信端末の負荷分散を図り効率的な資料情報の送受信をおこなうこと。【解決手段】資料情報の送信端末であるテレビ会議端末１１０ａは、共有対象となる資料情報３０１を受信端末であるテレビ会議端末１１０ｂおよびテレビ会議端末１１０ｃへ送信する。受信端末は、資料情報３０１を受信すると、ディスプレイ２１１ｂ，２１１ｃに表示させるとともに、記憶媒体２０８ｂ，２０８ｃに記憶する。あらたな参加端末であるテレビ会議端末１１０ｄとＰ２Ｐ接続がされると、参加端末に対して、送信端末から現在の資料情報３０３を送信するとともに、受信端末から過去の資料情報３０４を送信する。【選択図】図３
2012010042.tif 000002
【特許請求の範囲】
【請求項１】
ネットワークを介して接続された端末同士で送受信される情報による会議について、共有対象となる資料情報を送信する送信端末と、前記資料情報を受信する一つ以上の受信端末とを有する通信システムであって、
前記送信端末は、
複数の前記資料情報を連続的に送信する第一送信手段と、
前記第一送信手段によって送信された前記資料情報を、共有資料情報として出力する第一出力手段と、を備え、
前記受信端末は、
前記第一送信手段によって送信される前記資料情報を受信する受信手段と、
前記受信手段によって受信された前記資料情報を、前記共有資料情報して出力する第二出力手段と、
前記第二出力手段によって出力された前記共有資料情報を記憶する記憶手段と、
前記送信端末と、前記受信端末とは異なる他の参加端末があらたに接続された場合、前記参加端末が接続されるよりも前に前記記憶手段によって記憶された前記共有資料情報を前記参加端末に送信する第二送信手段と、
を備えることを特徴とする通信システム。
【請求項２】
前記第二送信手段は、前記受信端末のうち、いずれか一つ以上の前記受信端末によって、これまでに前記送信端末との間で共有された前記資料情報を前記参加端末に送信することを特徴とする請求項１に記載の通信システム。
【請求項３】
前記受信端末と、前記参加端末との間の通信環境情報を取得する取得手段をさらに備え、
前記第二送信手段は、前記取得手段によって取得された前記通信環境情報に基づいて、前記受信端末のうち、いずれか一つ以上の前記受信端末によって、前記資料情報を前記参加端末に送信することを特徴とする請求項１または２に記載の通信システム。
【請求項４】
前記記憶手段は前記第一送信手段によって連続的に送信される複数の前記資料情報のそれぞれについて、一つ以上の前記受信端末によって記憶することを特徴とする請求項１〜３のいずれか一つに記載の通信システム。
【請求項５】
ネットワークを介して接続された端末同士で送受信される情報による会議について、送信端末によって共有対象となる資料情報を送信し、一つ以上の受信端末によって前記資料情報を受信する通信方法であって、
前記送信端末によって、複数の前記資料情報を連続的に送信する第一送信工程と、
前記受信端末によって、前記第一送信工程によって送信された前記資料情報を受信する受信工程と、
前記送信端末および前記受信端末によって、前記資料情報を共有資料情報として出力する出力工程と、
前記出力工程によって出力された前記共有資料情報を、前記受信端末によって記憶する記憶工程と、
前記送信端末と、前記受信端末とは異なる他の参加端末があらたに接続された場合、前記参加端末が接続されるよりも前に前記記憶工程によって記憶された前記共有資料情報を前記参加端末に送信する第二送信工程と、
を含むことを特徴とする通信方法。
【請求項６】
ネットワークを介して接続される他の端末との間で送受信される情報によって会議をおこなう端末装置であって、
前記他の端末のいずれかから連続的に送信される、前記他の端末と共有対象となる資料情報を受信する受信手段と、
前記受信手段によって受信された前記資料情報を、共有資料情報として出力する出力手段と、
前記出力手段によって出力された前記共有資料情報を記憶する記憶手段と、
前記会議について、あらたに参加端末が接続された場合、前記参加端末が接続されるよりも前に前記記憶手段に記憶された前記共有資料情報を前記参加端末に送信する送信手段と、
を備えることを特徴とする端末装置。
【請求項７】
ネットワークを介して接続される他の端末との間で送受信される情報によって会議をおこなわせる通信プログラムであって、
前記他の端末のいずれかから連続的に送信される、前記他の端末と共有対象となる資料情報を受信させる受信工程と、
前記受信工程によって受信させた前記資料情報を、共有資料情報として出力させる出力工程と、
前記出力工程によって出力させた前記共有資料情報を記憶させる記憶工程と、
前記会議について、あらたに参加端末が接続された場合、前記参加端末が接続されるよりも前に前記記憶手段に記憶させた前記共有資料情報を前記参加端末に送信させる送信工程と、
をコンピュータに実行させることを特徴とする通信プログラム。
【発明の詳細な説明】
【技術分野】
【０００１】
この発明は、ネットワークを介して接続された複数拠点の端末装置によって送受信される映像情報や音声情報を各拠点の端末装置で再生することで、遠隔の拠点間で会議をおこなう通信システム、通信方法、端末装置および通信プログラムに関する。
【背景技術】
【０００２】
テレビ会議システムは、複数の拠点間で会議をおこなう際、各拠点間で相互に映像情報や音声情報などを送受信する。各拠点の端末装置は、送受信された映像情報や音声情報を再生する。端末装置は、映像情報などによる会議資料を送受信することがある。会議をおこなっている各拠点の端末装置は、送受信された会議資料を表示して共有する。
【０００３】
近年では、複数の端末装置によって会議資料としてプレゼンテーション情報を共有してテレビ会議をおこなっている場合、任意のタイミングで途中参加した端末装置に対しても、参加したタイミングでプレゼンテーション情報を送信する提案がされている（特許文献１）。
【先行技術文献】
【特許文献】
【０００４】
【特許文献１】特開２０００−２２４５５７号公報
【発明の概要】
【発明が解決しようとする課題】
【０００５】
しかしながら、上述した特許文献１に記載の技術では、テレビ会議に参加する端末装置のうち、プレゼンテーション情報を各端末装置に送信するプレゼンテーション端末によって、途中参加した端末装置にもプレゼンテーション情報を送信する構成である。したがって、プレゼンテーション端末は、端末装置の途中参加があるたびにテレビ会議に用いていたプレゼンテーション情報を送信しなければならないため、負荷が多大なもののなるという問題が一例として挙げられる。
【０００６】
この発明は、上述した問題を解決するためになされたものであり、資料情報の送信元だった送信端末の負荷分散を図り効率的な資料情報の送受信をおこなうことで、円滑な会議進行ができる通信システム、通信方法、端末装置および通信プログラムを提供することを目的とする。
【課題を解決するための手段】
【０００７】
上述した課題を解決し、目的を達成するため、請求項１の発明の通信システムは、ネットワークを介して接続された端末同士で送受信される情報による会議について、共有対象となる資料情報を送信する送信端末と、前記資料情報を受信する一つ以上の受信端末とを有する通信システムであって、前記送信端末は、複数の前記資料情報を連続的に送信する第一送信手段と、前記第一送信手段によって送信された前記資料情報を、共有資料情報として出力する第一出力手段と、を備え、前記受信端末は、前記第一送信手段によって送信される前記資料情報を受信する受信手段と、前記受信手段によって受信された前記資料情報を、前記共有資料情報として出力する第二出力手段と、前記第二出力手段によって出力された前記共有資料情報を記憶する記憶手段と、前記送信端末と、前記受信端末とは異なる他の参加端末があらたに接続された場合、前記参加端末が接続されるよりも前に前記記憶手段によって記憶された前記共有資料情報を前記参加端末に送信する第二送信手段と、を備えることを特徴とする。
【０００８】
請求項２の発明の通信システムは、上記発明において、前記第二送信手段は、前記受信端末のうち、いずれか一つ以上の前記受信端末によって、これまでに前記送信端末との間で共有された前記資料情報を前記参加端末に送信することを特徴とする。
【０００９】
請求項３の発明の通信システムは、上記発明において、前記受信端末と、前記参加端末との間の通信環境情報を取得する取得手段をさらに備え、前記第二送信手段は、前記取得手段によって取得された前記通信環境情報に基づいて、前記受信端末のうち、いずれか一つ以上の前記受信端末によって、前記資料情報を前記参加端末に送信することを特徴とする。
【００１０】
請求項４の発明の通信システムは、上記発明において、前記記憶手段は、前記第一送信手段によって連続的に送信される複数の前記資料情報のそれぞれについて、一つ以上の前期受信端末によって記憶することを特徴とする。
【００１１】
請求項５の発明の通信方法は、ネットワークを介して接続された端末同士で送受信される情報による会議について、送信端末によって共有対象となる資料情報を送信し、一つ以上の受信端末によって前記資料情報を受信する通信方法であって、前記送信端末によって、複数の前記資料情報を連続的に送信する第一送信工程と、前記受信端末によって、前記第一送信工程によって送信された前記資料情報を受信する受信工程と、前記送信端末および前記受信端末によって、前記資料情報を共有資料情報として出力する出力工程と、前記出力工程によって出力された前記共有資料情報を、前記受信端末によって記憶する記憶工程と、前記送信端末と、前記受信端末とは異なる他の参加端末があらたに接続された場合、前記参加端末が接続されるよりも前に前記記憶工程によって記憶された前記共有資料情報を前記参加端末に送信する第二送信工程と、を含むことを特徴とする。
【００１２】
請求項６の発明の端末装置は、ネットワークを介して接続される他の端末との間で送受信される情報によって会議をおこなう端末装置であって、前記他の端末のいずれかから連続的に送信される、前記他の端末と共有対象となる資料情報を受信する受信手段と、前記受信手段によって受信された前記資料情報を、共有資料情報として出力する出力手段と、前記出力手段によって出力された前記共有資料情報を記憶する記憶手段と、前記会議について、あらたに参加端末が接続された場合、前記参加端末が接続されるよりも前に前記記憶手段に記憶された前記共有資料情報を前記参加端末に送信する送信手段と、を備えることを特徴とする。
【００１３】
請求項７の発明の通信プログラムは、ネットワークを介して接続される他の端末との間で送受信される情報によって会議をおこなわせる通信プログラムであって、前記他の端末のいずれかから連続的に送信される、前記他の端末と共有対象となる資料情報を受信させる受信工程と、前記受信工程によって受信させた前記資料情報を、共有資料情報として出力させる出力工程と、前記出力工程によって出力させた前記共有資料情報を記憶させる記憶工程と、前記会議について、あらたに参加端末が接続された場合、前記参加端末が接続されるよりも前に前記記憶手段に記憶させた前記共有資料情報を前記参加端末に送信させる送信工程と、をコンピュータに実行させることを特徴とする。
【発明の効果】
【００１４】
請求項１に記載の発明によれば、受信端末によって、送信端末と共有して出力された資料情報を共有資料情報として記憶する。あらたな参加端末の接続があった場合、接続よりも前に記憶されていた教諭資料情報を参加端末に送信する。換言すれば、受信端末によってこれまで共有されていた資料情報を参加端末に送信する構成であるため、送信端末の処理負荷が集中することなく、会議に参加するすべての端末装置が共有対象の資料情報を取得することができるため、円滑な会議進行を図ることができる。
【００１５】
請求項２に記載の発明によれば、一つ以上の受信端末によって、参加端末に対して資料情報を送信することができるため、処理負荷の分散を図ることができる。
【００１６】
請求項３に記載の発明によれば、受信端末と、参加端末との間の通信環境情報に基づいて、参加端末に対して資料情報を送信することができるため、効率的に処理負荷の分散を図ることができる。
【００１７】
請求項４に記載の発明によれば、受信端末のそれぞれによって一つ以上の資料情報を記憶することで、複数の資料情報のすべてを遺漏なく記憶することができるため、共有資料情報を確実に記憶し、かつ記憶容量の負荷の分散を図ることができる。
【００１８】
請求項５に記載の発明によれば、受信端末によって、送信端末と共有して出力された資料情報を共有資料情報として記憶する。あらたな参加端末の接続があった場合、接続よりも前に記憶されていた教諭資料情報を参加端末に送信する。換言すれば、受信端末によってこれまで共有されていた資料情報を参加端末に送信する構成であるため、送信端末の処理負荷が集中することなく、会議に参加するすべての端末装置が共有対象の資料情報を取得することができるため、円滑な会議進行を図ることができる。
【００１９】
請求項６に記載の発明によれば、他の端末と共有して出力された資料情報を記憶する。あらたな参加端末の接続があった場合、接続よりも前に記憶されていた教諭資料情報を参加端末に送信する。換言すれば、これまで他の端末と共有されていた資料情報を参加端末に送信することができる。したがって、効率的に会議に参加するすべての端末装置に共有対象の資料情報を取得させることができる。
【００２０】
請求項７に記載の発明によれば、他の端末と共有して出力された資料情報を記憶させる。あらたな参加端末の接続があった場合、接続よりも前に記憶されていた教諭資料情報を参加端末に送信する。換言すれば、これまで他の端末と共有されていた資料情報を参加端末に送信させるプログラムをコンピュータに実行させることができるため、効率的に会議に参加するすべての端末装置に共有対象の資料情報を取得させることができる。
【００２１】
以上説明したように、本発明にかかる通信システム、通信方法、端末装置および通信プログラムによれば、共有対象の資料情報の送信元だった送信端末の負荷分散を図り効率的な資料情報の送受信をおこなうことで、円滑な会議進行ができるという効果を奏する。
【図面の簡単な説明】
【００２２】
【図１】本発明の実施形態のテレビ会議システムの一例を示す説明図である。
【図２】本発明の実施形態のテレビ会議端末の機能的構成の一例を示す説明図である。
【図３】本発明の実施形態のテレビ会議システムにおける資料情報の送信の一例を示す説明図である。
【図４】本発明の実施形態の送信端末であるテレビ会議端末の処理の内容を示すフローチャートである。
【図５】本発明の実施形態の受信端末であるテレビ会議端末の処理の内容を示すフローチャートである。
【図６】本発明の実施形態の参加端末であるテレビ会議端末の処理の内容を示すフローチャートである。
【図７】本発明の変形例のテレビ会議システムにおける資料情報の送信の一例を示す説明図である。
【図８】本発明の変形例の送信端末であるテレビ会議端末の処理の内容を示すフローチャートである。
【図９】本発明の変形例の受信端末であるテレビ会議端末の処理の内容を示すフローチャートである。
【図１０】本発明の変形例の参加端末であるテレビ会議端末の処理の内容を示すフローチャートである。
【発明を実施するための形態】
【００２３】
以下に添付図面を参照して、この発明にかかる通信システム、通信方法、端末装置および通信プログラムの好適な実施の形態を詳細に説明する。
【００２４】
（実施形態）
（全体構成）
図１を用いて、本発明にかかる通信システムを、複数拠点でテレビ会議をおこなうテレビ会議システムに適用し、本発明にかかる端末装置、送信端末、受信端末および参加端末などの各端末をテレビ会議システムに用いるテレビ会議端末に適用した場合について説明する。図１は、本発明の実施形態のテレビ会議システムの一例を示す説明図である。図１において、テレビ会議システム１００は、各拠点Ａ，Ｂ，Ｃに設置されたテレビ会議端末１１０ａ，１１０ｂ，１１０ｃがネットワークＮＷを介して接続されて構成されている。
【００２５】
テレビ会議システム１００は、地理的に離れた各拠点Ａ，Ｂ，Ｃに設置されたテレビ会議端末１１０ａ，１１０ｂ，１１０ｃがインターネットなどのネットワークＮＷを介して接続されたり、建物内の離れた各拠点Ａ，Ｂ，Ｃに設置されたテレビ会議端末１１０ａ，１１０ｂ，１１０ｃがＬＡＮ（ローカルエリアネットワーク）などのネットワークＮＷを介して接続されたりしている。ネットワークＮＷは、公衆電話回線網などであってもよい。以降の説明では、各拠点の区別をしない場合、符号の末尾の記号である「ａ」，「ｂ」，「ｃ」を省略して説明する。
【００２６】
テレビ会議システム１００は、各拠点Ａ，Ｂ，Ｃでテレビ会議に参加する参加者Ａ，Ｂ，Ｃの映像および音声をテレビ会議端末１１０によって送受信させる。具体的には、テレビ会議端末１１０は、カメラ２１２やマイク２１４によって自拠点における参加者の映像および音声を取得する。テレビ会議端末１１０は、取得した自拠点の参加者の映像および音声をパケット化して、ネットワークＮＷを介して他拠点のテレビ会議端末１１０に送信する。
【００２７】
テレビ会議端末１１０は、他拠点のテレビ会議端末１１０から送信される参加者の映像および音声のパケットをネットワークＮＷを介して受信する。テレビ会議端末１１０は、受信したパケットから他拠点の参加者の映像および音声をディスプレイ２１１やスピーカ２１３によって再生する。
【００２８】
すなわち、テレビ会議端末１１０は、自拠点と他拠点で相互に送受信される参加者の映像および音声を再生する。各拠点の参加者は、自拠点のテレビ会議端末１１０によって再生される映像および音声を視聴することで、遠隔に位置する参加者同士でテレビ会議をおこなう。
【００２９】
また、テレビ会議端末１１０は、参加者の映像や音声にくわえ、テレビ会議に用いる資料情報の送受信をおこなう。資料情報は、テレビ会議において共有して出力する映像や音声などを含む情報である。各テレビ会議端末１１０は、送受信された資料情報をディスプレイ２１１やスピーカ２１３によって出力させることで、各拠点の参加者同士で資料情報の共有を図る。なお、本発明の実施形態では、共有対象として出力される資料情報として、ディスプレイ２１１で表示される画像を用いる場合について説明する。
【００３０】
具体的には、資料情報の送信元となる送信端末であるテレビ会議端末１１０は、パーソナルコンピュータ（ＰＣ）や外部記憶媒体などが接続されている。送信端末であるテレビ会議端末１１０は、参加者の操作にしたがって、ＰＣや外部記憶媒体などからテレビ会議用の文書や画像などを資料情報として読み出す。
【００３１】
送信端末であるテレビ会議端末１１０は、読み出された資料情報をディスプレイ２１１に表示するとともに、ネットワークＮＷを介して送信先としての受信端末であるテレビ会議端末１１０に送信する。より具体的には、たとえば、送信端末であるテレビ会議端末１１０は、ディスプレイ２１１に表示された資料情報をキャプチャし、所定時間ごとに連続的に送信したり、複数ページからなる資料情報をページごとに送信したりする。受信端末であるテレビ会議端末１１０は、受信した資料情報をディスプレイ２１１によって表示することで、資料情報の共有をおこなう。すなわち、送信端末および受信端末であるテレビ会議端末１１０は、ディスプレイ２１１に共有資料情報を出力する構成となる。
【００３２】
テレビ会議端末１１０は、マウスなどの操作部２０６を介して、参加者から操作入力を受け付ける。具体的には、テレビ会議端末１１０は、操作部２０６による操作入力に基づいて、ディスプレイ２１１に表示された資料情報などの表示制御をおこなう。参加者は、操作部２０６による操作入力によってポインタを移動操作することで資料情報の共有の指示などをおこなうことができる。
【００３３】
（機能的構成）
図２を用いて、本発明の実施形態のテレビ会議端末１１０の機能的構成について説明する。図２は、本発明の実施形態のテレビ会議端末の機能的構成の一例を示す説明図である。
【００３４】
図２において、テレビ会議端末１１０は、ＣＰＵ（セントラルプロセッシングユニット）２０１と、ＲＡＭ（ランダムアクセスメモリ）２０２と、ＲＯＭ（リードオンリーメモリ）２０３と、ディスプレイ２１１やカメラ２１２に対して各種映像の入出力を制御する映像Ｉ／Ｆ２０４と、スピーカ２１３やマイク２１４に対して各種音声の入出力を制御する音声Ｉ／Ｆ２０５と、各種情報の入力を受け付ける操作部２０６と、外部機器との通信を制御する通信Ｉ／Ｆ２０７と、各種情報を記憶する記憶媒体２０８とを備えている。また、テレビ会議端末１１０の各構成部は、バス２００によってそれぞれ接続されている。
【００３５】
ＣＰＵ２０１は、テレビ会議端末１１０全体の制御をおこなう。ＣＰＵ２０１は、ＲＡＭ２０２をワークエリアとして、ＲＯＭ２０３から読み込まれる各種プログラムを実行する。
【００３６】
映像Ｉ／Ｆ２０４は、ＣＰＵ２０１の制御にしたがって、ディスプレイ２１１に各種情報を表示させる。映像Ｉ／Ｆ２０４は、たとえば、カメラ２１２によって撮像された自拠点の映像や、他拠点のテレビ会議端末１１０から受信された映像のパケットをデコードした映像などの各拠点の参加者の映像や、テレビ会議に用いる資料情報などをディスプレイ２１１上の参加者領域や、資料領域などの各表示領域に表示させる。
【００３７】
資料情報は、他拠点のテレビ会議端末１１０から後述する通信Ｉ／Ｆ２０７を介して受信したり、通信Ｉ／Ｆ２０７を介して接続される情報端末であるＰＣ２５０などから取得したりする。また、自拠点から資料情報を送信する場合、操作部２０６の操作入力にしたがって共有対象とする資料情報のタイトルやアイコンなどを選択し、映像Ｉ／Ｆ２０４によってディスプレイ２１１の資料領域に表示される資料情報をキャプチャして、後述する通信Ｉ／Ｆ２０７を介して所定時間ごとに連続的に送信することとしてもよい。テレビ会議端末１１０は、他拠点のテレビ会議端末１１０と送受信される資料情報をディスプレイ２１１に表示させることで、各参加者間で資料情報を共有させる。
【００３８】
映像Ｉ／Ｆ２０４は、ＣＰＵ２０１の制御にしたがって、カメラ２１２によって自拠点の参加者の映像を撮像する。映像Ｉ／Ｆ２０４は、ＣＰＵ２０１の制御にしたがって、カメラ２１２によって撮像された参加者の映像を記憶媒体２０８に出力する。
【００３９】
音声Ｉ／Ｆ２０５は、ＣＰＵ２０１の制御にしたがって、スピーカ２１３に各種音声を出力させる。音声Ｉ／Ｆ２０５は、たとえば、マイク２１４によって集音された自拠点の音声や、他拠点のテレビ会議端末１１０から受信された音声のパケットをデコードした音声や、他拠点とのテレビ会議に関する案内音声などをスピーカ２１３に出力させる。
【００４０】
音声Ｉ／Ｆ２０５は、ＣＰＵ２０１の制御にしたがって、マイク２１４によって自拠点の参加者の音声を集音する。音声Ｉ／Ｆ２０５は、ＣＰＵ２０１の制御にしたがって、マイク２１４によって集音された参加者の音声を記憶媒体２０８に出力する。
【００４１】
操作部２０６は、参加者などから各種情報の入力を受け付ける。操作部２０６は、マウスやタッチパネルや操作ボタンなどによって構成され、テレビ会議に関する情報の操作入力を受け付けて、入力された信号をＣＰＵ２０１へ出力する。
【００４２】
通信Ｉ／Ｆ２０７は、通信回線を通じてＬＡＮやインターネットなどのネットワークＮＷに接続され、このネットワークＮＷを介して他のテレビ会議端末１１０やその他外部機器に接続される。通信Ｉ／Ｆ２０７は、ネットワークＮＷとテレビ会議端末１１０内部のインターフェースをつかさどり、外部機器に対するデータの入出力を制御する。通信Ｉ／Ｆ２０７には、たとえば、モデムやＬＡＮアダプタなどを採用することができる。
【００４３】
通信Ｉ／Ｆ２０７は、ＣＰＵ２０１の制御にしたがって、記憶媒体２０８に記憶された自拠点の映像および音声を、他拠点のテレビ会議端末１１０へネットワークＮＷを介して送信する。通信Ｉ／Ｆ２０７は、ＣＰＵ２０１の制御にしたがって、映像および音声をパケットとして所定のタイミングでネットワークＮＷを介して送信する。
【００４４】
通信Ｉ／Ｆ２０７は、共有対象となる資料情報の送受信をおこなう。具体的には、送信端末としてテレビ会議端末１１０は、自拠点の参加者による操作部２０６の操作にしたがって、記憶媒体２０８やＰＣ２５０などから取得される資料情報を受信端末としてのテレビ会議端末１１０へ連続的に送信する。受信端末としてのテレビ会議端末１１０は、受信された資料情報を記憶媒体２０８に記録する。
【００４５】
また、通信Ｉ／Ｆ２０７は、参加端末としてあらたなテレビ会議端末１１０が接続された場合、資料情報をあらたなテレビ会議端末１１０へ送信する。具体的には、送信端末としてのテレビ会議端末１１０は、参加端末としてのテレビ会議端末１１０の接続以降に共有する資料情報を送信する。受信端末としてのテレビ会議端末１１０は、参加端末としてのテレビ会議端末１１０の接続以前に共有していた資料情報を送信する。
【００４６】
ここで、図３を用いて、本発明の実施形態のテレビ会議システム１００における資料情報の送信について説明する。図３は、本発明の実施形態のテレビ会議システムにおける資料情報の送信の一例を示す説明図である。なお、本発明の実施形態では、資料情報の送信元の送信端末であるテレビ会議端末１１０ａ、資料情報の受信先の受信端末であるテレビ会議端末１１０ｂ，１１０ｃによるＰ２Ｐ接続によっておこなわれているテレビ会議に、テレビ会議端末１１０ｄが参加端末として途中参加する場合について説明する。特に図示はしないが、Ｐ２Ｐ接続は、たとえば、ＳＩＰ（Ｓｅｓｓｉｏｎ  Ｉｎｉｔｉａｔｉｏｎ  Ｐｒｏｔｏｃｏｌ）サーバなどを介して取得されるアドレス情報を用いた端末間の接続である。なお、参加端末であるテレビ会議端末１１０ｄの機能的構成についても、図２を用いて説明する他のテレビ会議端末１１０と同様である。
【００４７】
図３において、テレビ会議端末１１０ａは、参加者Ａによる操作部２０６ａの操作入力にしたがって、共有対象となる資料情報３０１が選択される。具体的には、たとえば、テレビ会議端末１１０ａによる送信候補となるタイトルやアイコンなどの一覧から、共有対象となる資料情報３０１が選択される。テレビ会議端末１１０ａは、参加者Ａの操作入力にしたがって資料情報３０１をテレビ会議端末１１０ｂおよびテレビ会議端末１１０ｃへ送信する。資料情報３０１は、たとえば、テレビ会議端末１１０ａのディスプレイ２１１ａの資料領域に表示される画像について、映像Ｉ／Ｆ２０４によってキャプチャされる画像情報で、複数のページＰ１，Ｐ２，Ｐ３が連続的に送信される。
【００４８】
複数のページＰ１，Ｐ２，Ｐ３は、たとえば、所定時間間隔で区分けされたり、キャプチャ画像の変更を検知した場合に切り替えて区分けされたり、予め表示される画像に関連付けられたページ情報などによって区分けされたりする。本発明の実施形態では、キャプチャ画像の変更を検知した場合にページの切り替えがあったとして、それぞれページＰ１，Ｐ２，Ｐ３…となる。また、キャプチャ画像の変更の検知は送信側のテレビ会議端末１１０ａ、受信側のテレビ会議端末１１０ｂ，１１０ｃのどちらでおこなう構成でもよく、本発明の実施形態では、図５に後述するように受信側のテレビ会議端末１１０ｂ，１１０ｃで検知する構成である。
【００４９】
テレビ会議端末１１０ｂ，１１０ｃは、テレビ会議端末１１０ａから送信された資料情報３０１を受信すると、ディスプレイ２１１ｂ，２１１ｃに表示させるとともに、記憶媒体２０８ｂ，２０８ｃに記憶する。テレビ会議端末１１０ａ，１１０ｂ，１１０ｃは、あらたな参加端末であるテレビ会議端末１１０ｄからの接続要求３０２に応じて、各テレビ会議端末１１０間でＰ２Ｐ接続をおこなう。
【００５０】
テレビ会議端末１１０ａは、資料情報３０１以降も資料情報３０３を送信する。具体的には、テレビ会議端末１１０ａは、資料情報３０１のページＰ１，Ｐ２，Ｐ３以降のページＰ４，Ｐ５をテレビ会議端末１１０ｂ、１１０ｃ、１１０ｄに送信する。テレビ会議端末１１０ｂ，１１０ｃは、テレビ会議端末１１０ａから送信された資料情報３０３を受信すると、ディスプレイ２１１ｂ，２１１ｃに表示させるとともに、記憶媒体２０８ｂ，２０８ｃに記憶する。すなわち、テレビ会議端末１１０ｂ，１１０ｃは、これまでに共有された資料情報３０１のページＰ１，Ｐ２，Ｐ３と、以降に共有される資料情報３０３のページＰ４，Ｐ５を記憶する。
【００５１】
テレビ会議端末１１０ｂは、記憶媒体２０８ｂに記憶しているページＰ１，Ｐ２，Ｐ３を過去の資料情報３０４としてテレビ会議端末１１０ｄへ送信する。テレビ会議端末１１０ｄは、過去に共有された資料情報３０４をテレビ会議端末１１０ｂから受信して、記憶媒体２０８ｄに記憶する。
【００５２】
また、テレビ会議端末１１０ｄは、テレビ会議に参加したＰ２Ｐ接続以降に共有される資料情報３０３のページＰ４，Ｐ５をテレビ会議端末１１０ａから受信する。テレビ会議端末１１０ｄは、テレビ会議端末１１０ａから送信された資料情報３０３を受信すると、ディスプレイ２１１ｂ，２１１ｃに表示させるとともに、記憶媒体２０８ｄに記憶する。テレビ会議端末１１０ｂ，１１０ｃ，１１０ｄは、以降のあらたな参加端末に備え、過去の資料情報としてＰ１〜Ｐ５を記憶媒体２０８ｂ，２０８ｃ，２０８ｄに記憶することとなる。
【００５３】
このように、送信側のテレビ会議端末１１０ａは、あらたな参加端末が接続された場合であっても、過去に送信した資料情報を再度送信する負荷を負うことがなく、円滑にテレビ会議を進行することができる。また、テレビ会議端末１１０ｄは、途中参加した場合でも過去の資料情報と現在の資料情報を取得することができるため、適切にテレビ会議に参加することができる。
【００５４】
なお、図３の説明では、テレビ会議端末１１０ｄが接続された場合、過去の資料情報３０４について、テレビ会議端末１１０ｂ、１１０ｃのうち、テレビ会議端末１１０ｂから送信することとして説明したがこれに限ることはない。具体的には、テレビ会議端末１１０ｂ，１１０ｃの両方が送信して、テレビ会議端末１１０ｄによって重複する情報を削除することとしてもよい。
【００５５】
また、テレビ会議端末１１０ｂ，１１０ｃのうち、接続要求３０２の時点でテレビ会議端末１１０ｂ，１１０ｃの通信環境を取得して、通信環境の良好な側が送信することとしてもよい。通信環境は、パケットロスの割合、帯域、ネットワーク遅延などであり、接続要求３０２に基づいて、テレビ会議端末１１０ｄが取得して、通信環境が良好なテレビ会議端末１１０ｂ（または１１０ｃ）に対してテレビ会議端末１１０ｄが取得要求をおこなったり、接続要求３０２があった時点で、テレビ会議端末１１０ｂ，１１０ｃ相互で通信環境を通知し合い、通信環境が良好なテレビ会議端末１１０ｂ（または１１０ｃ）が送信したりすることとしてもよい。このようにすることで、通信効率を向上させつつ資料情報の配信を実現することができる。
【００５６】
また、通信環境に応じて、送信するページ数を可変にしてもよい。すなわち、テレビ会議端末１１０ｂとテレビ会議端末１１０ｄ間の通信環境の方が、テレビ会議端末１１０ｃとテレビ会議端末１１０ｄの通信環境よりも良好な場合、テレビ会議端末１１０ｂによってページＰ１，Ｐ２を送信し、テレビ会議端末１１０ｃによってページＰ３を送信することとしてもよい。このようにすることで、効率的な資料情報の配信を実現することができる。なお、通信環境は、テレビ会議端末１１０ａや図示しないサーバによって取得し、過去の資料情報３０４の送信を制御することとしてもよい。このようにすることで、テレビ会議システム１００の汎用性を向上させることができる。
【００５７】
図２に戻って、記憶媒体２０８は、ＨＤ（ハードディスク）や着脱可能な記録媒体の一例としてのＦＤ（フレキシブルディスク）などである。記憶媒体２０８は、それぞれのドライブデバイスを有し、たとえば、ＣＰＵ２０１の制御にしたがって送受信対象の映像や音声、共有対象の資料情報などの各種データが記録される。また、記憶媒体２０８からは、それぞれのドライブデバイスの制御にしたがってデータが読み取られる。
【００５８】
なお、各構成要素と、各機能を対応付けて説明すると、図２に示したＣＰＵ２０１および通信Ｉ／Ｆ２０７によって、本発明の第一送信手段、受信手段、第二送信手段、取得手段、送信手段の機能を実現する。また、ＣＰＵ２０１、映像Ｉ／Ｆ２０４、ディスプレイ２１１によって、本発明の第一出力手段、第二出力手段、出力手段の機能を実現する。また、ＣＰＵ２０１、記憶媒体２０８によって、本発明の記憶手段の機能を実現する。
【００５９】
（テレビ会議端末１１０の処理の内容）
図４〜図６を用いて、本発明の実施形態のテレビ会議システムにおける各テレビ会議端末１１０の処理の内容について説明する。具体的には、図３に示したように、共有対象となる資料情報の送信元の送信端末としてのテレビ会議端末１１０ａと、資料情報の送信先である受信端末としてのテレビ会議端末１１０ｂ，１１０ｃとによって開催されているテレビ会議に、テレビ会議端末１１０ｄが途中参加する場合の処理について説明する。
【００６０】
図４を用いて、本発明の実施形態の送信端末であるテレビ会議端末１１０ａの処理の内容について説明する。図４は、本発明の実施形態の送信端末であるテレビ会議端末の処理の内容を示すフローチャートである。
【００６１】
図４のフローチャートにおいて、まず、ＣＰＵ２０１ａは、テレビ会議が開始されたか否かを判断する（ステップＳ４０１）。テレビ会議の開始は、たとえば、参加者Ａによる操作部２０６ａの操作に基づいて、通信Ｉ／Ｆ２０７ａを介しておこなわれる他のテレビ会議端末１１０ｂ，１１０ｃに対する接続要求について、接続許可を受信したり、通信Ｉ／Ｆ２０７ａを介して受信される他のテレビ会議端末１１０ｂ，１１０ｃからの接続要求について、接続許可を送信したりすることによって判断される。
【００６２】
ステップＳ４０１において、テレビ会議が開始されるのを待って、開始された場合（ステップＳ４０１：Ｙｅｓ）は、相互に送受信される参加者の映像情報や音声情報によってテレビ会議が実行され、ＣＰＵ２０１ａは、テレビ会議における資料情報を送信するか否かを判断する（ステップＳ４０２）。具体的には、ＣＰＵ２０１ａは、参加者Ａによる操作部２０６ａの操作入力にしたがって、ＰＣや外部記憶媒体などからテレビ会議用の文書や画像などから読み出される資料情報のタイトルやアイコンの一覧などから、共有対象の資料情報が選択された場合、資料情報を送信すると判断する。
【００６３】
ステップＳ４０２において、資料情報を送信しない場合（ステップＳ４０２：Ｎｏ）は、ステップＳ４０８へ移行して処理を繰り返す。ステップＳ４０２において、資料情報を送信する場合（ステップＳ４０２：Ｙｅｓ）は、ＣＰＵ２０１ａは、現在開催されているテレビ会議に接続されているテレビ会議端末１１０ｂ，１１０ｃを、資料情報の送信先として設定する（ステップＳ４０３）。
【００６４】
ＣＰＵ２０１ａは、ステップＳ４０２において送信すると判断された資料情報を、映像Ｉ／Ｆ２０４ａを介して、ディスプレイ２１１ａに出力する（ステップＳ４０４）。具体的には、たとえば、映像Ｉ／Ｆ２０４ａは、テレビ会議における各参加者の映像を表示する参加者領域とは異なる資料領域に共有対象の資料情報を表示する。すなわち、ステップＳ４０４においてディスプレイ２１１ａの資料領域に表示される資料情報が、テレビ会議において受信端末であるテレビ会議端末１１０ｂ，１１０ｃと共有されることとなる。
【００６５】
ＣＰＵ２０１ａは、ステップＳ４０４において出力された資料情報を、通信Ｉ／Ｆ２０７ａを介して、ステップＳ４０３において設定された送信先へ送信する（ステップＳ４０５）。具体的には、ＣＰＵ２０１ａは、映像Ｉ／Ｆ２０４ａを制御して、ディスプレイ２１１ａに表示されている資料情報をキャプチャして、受信端末としてのテレビ会議端末１１０ｂ，１１０ｃに所定時間ごとに連続的に送信する。
【００６６】
ＣＰＵ２０１ａは、通信Ｉ／Ｆ２０７ａを介して、あらたな参加端末からの接続要求があったか否かを判断する（ステップＳ４０６）。接続要求は、たとえば、あらたな参加端末であるテレビ会議端末１１０ｄから、前述したＳＩＰサーバなどを介しておこなわれる。
【００６７】
ステップＳ４０６において、接続要求があった場合（ステップＳ４０６：Ｙｅｓ）は、ＣＰＵ２０１ａは、あらたな参加端末であるテレビ会議端末１１０ｄとの接続処理をおこなう（ステップＳ４０９）。接続処理は、たとえば、ＳＩＰサーバを介してアドレスに関する情報を送受信することによって、Ｐ２Ｐ接続をおこなう。また、接続要求について、参加者Ａによる操作部２０６ａの操作入力における接続許可があった場合に接続処理をおこなうこととしてもよい。
【００６８】
ステップＳ４０９において、あらたな参加端末との接続処理をおこなうとステップＳ４０３へ戻って、テレビ会議端末１１０ｄを送信先に設定して処理を繰り返す。すなわち、資料情報を送信中であれば、あらたな参加端末についても送信先に設定することとなる。
【００６９】
ステップＳ４０６において、接続要求がない場合（ステップＳ４０６：Ｎｏ）は、ＣＰＵ２０１ａは、ステップＳ４０５において送信されている資料情報の送信を終了するか否かを判断する（ステップＳ４０７）。資料情報の送信終了は、たとえば、送信端末であるテレビ会議端末１１０ａの参加者Ａが操作部２０６ａを操作して終了指示をおこなった場合に終了となる。
【００７０】
ステップＳ４０７において、資料情報の送信が終了しない場合（ステップＳ４０７：Ｎｏ）は、ステップＳ４０４に戻って処理を繰り返す。ステップＳ４０７において、資料情報の送信が終了する場合（ステップＳ４０７：Ｙｅｓ）は、ＣＰＵ２０１ａは、テレビ会議が終了されたか否かを判断する（ステップＳ４０８）。テレビ会議の終了は、たとえば、参加者Ａによる操作部２０６ａの操作による指示や、通信Ｉ／Ｆ２０７ａを介して受信されるテレビ会議端末１１０ｂ，１１０ｃ（１１０ｄ）からの指示などに基づいておこなわれる。
【００７１】
ステップＳ４０８において、テレビ会議が終了されない場合（ステップＳ４０８：Ｎｏ）は、ＣＰＵ２０１ａは、通信Ｉ／Ｆ２０７ａを介して、あらたな参加端末からの接続要求があったか否かを判断する（ステップＳ４１０）。
【００７２】
ステップＳ４１０において、接続要求があった場合（ステップＳ４１０：Ｙｅｓ）は、ＣＰＵ２０１ａは、あらたな参加端末であるテレビ会議端末１１０ｄとの接続処理をおこなう（ステップＳ４１１）。
【００７３】
ステップＳ４１１において、あらたな参加端末との接続処理をおこなうとステップＳ４０２へ戻って、処理を繰り返す。すなわち、あらたな参加端末も受信端末として資料情報の送信をおこなうか否かを判断することとなる。
【００７４】
ステップＳ４０８において、テレビ会議が終了された場合（ステップＳ４０８：Ｙｅｓ）は、そのまま一連の処理を終了する。
【００７５】
図５を用いて、本発明の実施形態の受信端末であるテレビ会議端末１１０ｂ，１１０ｃの処理の内容について説明する。図５は、本発明の実施形態の受信端末であるテレビ会議端末の処理の内容を示すフローチャートである。なお、テレビ会議端末１１０ｂ，１１０ｃの処理はほぼ同様であるため、以下では、テレビ会議端末１１０ｂについて説明する。
【００７６】
図５のフローチャートにおいて、まず、ＣＰＵ２０１ｂは、テレビ会議が開始されたか否かを判断する（ステップＳ５０１）。テレビ会議の開始は、たとえば、参加者Ｂによる操作部２０６ｂの操作に基づいて、通信Ｉ／Ｆ２０７ｂを介しておこなわれる他のテレビ会議端末１１０ａ，１１０ｃに対する接続要求について、接続許可を受信したり、通信Ｉ／Ｆ２０７ｂを介して受信される他のテレビ会議端末１１０ａ，１１０ｃからの接続要求について、接続許可を送信したりすることによって判断される。
【００７７】
ステップＳ５０１において、テレビ会議が開始されるのを待って、開始された場合（ステップＳ５０１：Ｙｅｓ）は、相互に送受信される参加者の映像情報や音声情報によってテレビ会議が実行され、ＣＰＵ２０１ｂは、テレビ会議における資料情報が受信されたか否かを判断する（ステップＳ５０２）。具体的には、たとえば、図４に示したステップＳ４０５によって送信端末から所定時間ごとに連続的に送信される共有対象の資料情報について、通信Ｉ／Ｆ２０７ｂを介して受信されたか否かを判断する。
【００７８】
ステップＳ５０２において、資料情報を受信しなかった場合（ステップＳ５０２：Ｎｏ）は、ステップＳ５１１へ移行して処理を繰り返す。ステップＳ５０２において、資料情報を受信した場合（ステップＳ５０２：Ｙｅｓ）は、ＣＰＵ２０１ｂは、受信された資料情報が前回と同じ資料情報か否かを判断する（ステップＳ５０３）。
【００７９】
ステップＳ５０３では、ＣＰＵ２０１ｂは、送信端末から所定時間ごとに連続的に送信される資料情報に変化が生じているか否かを判断することで、前回と同じページか否かを判断する構成である。ステップＳ５０３における判断は、たとえば、画像における各画素の類似度が所定よりも大きかった場合や、資料情報上にポインタの移動などを検知した場合に変化があったと判断する。
【００８０】
ステップＳ５０３において、資料情報が前回と同じ場合（ステップＳ５０３：Ｙｅｓ）は、ステップＳ５０５へ移行して、ＣＰＵ２０１ｂは、ステップＳ５０２において受信された資料情報を、映像Ｉ／Ｆ２０４ｂを介して、ディスプレイ２１１ｂに出力する（ステップＳ５０５）。具体的には、たとえば、映像Ｉ／Ｆ２０４ｂは、テレビ会議における各参加者の映像を表示する参加者領域とは異なる資料領域に共有対象の資料情報を表示する。すなわち、ステップＳ５０５においてディスプレイ２１１ｂの資料領域に表示される資料情報が、テレビ会議においてテレビ会議端末１１０ａ，１１０ｃと共有される構成である。
【００８１】
ステップＳ５０３において、資料情報が前回と異なる場合（ステップＳ５０３：Ｎｏ）は、ＣＰＵ２０１ｂは、記録媒体２０８ｂに資料情報を保存する（ステップＳ５０４）。ＣＰＵ２０１ｂは、ステップＳ５０４において保存された資料情報を、映像Ｉ／Ｆ２０４ｂを介して、ディスプレイ２１１ｂに出力する（ステップＳ５０５）。このように、資料情報が前回と異なるものについて保存する構成であるため、記憶媒体２０８ｂの記憶容量を無駄に圧迫することを防ぐことができる。
【００８２】
ＣＰＵ２０１ｂは、通信Ｉ／Ｆ２０７ｂを介して、あらたな参加端末からの接続要求があったか否かを判断する（ステップＳ５０６）。接続要求は、たとえば、あらたな参加端末であるテレビ会議端末１１０ｄから、前述したＳＩＰサーバなどを介しておこなわれる。ステップＳ５０６において、接続要求がない場合（ステップＳ５０６：Ｎｏ）は、ステップＳ５１１へ移行して処理を繰り返す。
【００８３】
ステップＳ５０６において、接続要求があった場合（ステップＳ５０６：Ｙｅｓ）は、ＣＰＵ２０１ｂは、あらたな参加端末であるテレビ会議端末１１０ｄとの接続処理をおこなう（ステップＳ５０７）。接続処理は、たとえば、ＳＩＰサーバを介してアドレスに関する情報を送受信することによって、Ｐ２Ｐ接続をおこなう。また、接続要求について、参加者Ｂによる操作部２０６ｂの操作入力における接続許可があった場合に接続をおこなうこととしてもよい。
【００８４】
ステップＳ５０７において、あらたな参加端末との接続処理をおこなうと、ＣＰＵ２０１ｂは、通信Ｉ／Ｆ２０７ｂを介して、あらたな参加端末に対して、記憶媒体２０８ｂに保存されている過去の資料情報を通知する（ステップＳ５０８）。
【００８５】
ＣＰＵ２０１ｂは、通信Ｉ／Ｆ２０７ｂを介してあらたな参加端末であるテレビ会議端末１１０ｄから資料情報の取得要求を受信する（ステップＳ５０９）。資料情報の取得要求は、たとえば、後述する図６のステップ６０６においてテレビ会議端末１１０ｄからおこなわれ、記憶している資料情報すべての取得要求であったり、記憶している資料情報の一部であったり、資料情報は不要である旨を示す要求であってもよい。
【００８６】
ＣＰＵ２０１ｂは、ステップＳ５０９において受信された取得要求に基づいて、通信Ｉ／Ｆ２０７ｂを介して、あらたな参加端末であるテレビ会議端末１１０ｄに対して、ステップＳ５０４において保存された資料情報を送信する（ステップＳ５１０）。
【００８７】
ＣＰＵ２０１ｂは、テレビ会議が終了されたか否かを判断する（ステップＳ５１１）。テレビ会議の終了は、たとえば、参加者Ｂによる操作部２０６ｂの操作による指示や、通信Ｉ／Ｆ２０７ｂを介して受信されるテレビ会議端末１１０ａ，１１０ｃ（１１０ｄ）からの指示などに基づいておこなわれる。
【００８８】
ステップＳ５１１において、テレビ会議が終了されない場合（ステップＳ５１１：Ｎｏ）は、ステップＳ５０２へ戻って処理を繰り返す。ステップＳ５１１において、テレビ会議が終了された場合（ステップＳ５１１：Ｙｅｓ）は、そのまま一連の処理を終了する。
【００８９】
図６を用いて、本発明の実施形態の参加端末であるテレビ会議端末１１０ｄの処理の内容について説明する。図６は、本発明の実施形態の参加端末であるテレビ会議端末の処理の内容を示すフローチャートである。
【００９０】
図６のフローチャートにおいて、まず、ＣＰＵ２０１ｄは、現在開催されているテレビ会議に参加するか否かを判断する（ステップＳ６０１）。テレビ会議への参加は、たとえば、参加者Ｄによる操作部２０６ｄの操作に基づいておこなわれる。
【００９１】
ステップＳ６０１において、テレビ会議に参加するのを待って、参加する場合（ステップＳ６０１：Ｙｅｓ）は、ＣＰＵ２０１ｄは、通信Ｉ／Ｆ２０７ｄを介して、現在開催されているテレビ会議に参加しているテレビ会議端末１１０ａ，１１０ｂ，１１０ｃの各端末とＰ２Ｐ接続をおこなう（ステップＳ６０２）。特に図示はしないが、Ｐ２Ｐ接続は、たとえば、ＳＩＰサーバなどを介して取得されるアドレス情報に基づいておこなう。
【００９２】
ＣＰＵ２０１ｄは、ステップＳ６０２においてＰ２Ｐ接続された送信端末であるテレビ会議端末１１０ａから、通信Ｉ／Ｆ２０７ｄを介して、資料情報を受信したか否かを判断する（ステップＳ６０３）。具体的には、ステップＳ６０３では、図４に示したステップＳ４０５においてテレビ会議端末１１０ａから送信される、現在の共有対象の資料情報を受信したか否かが判断される。ステップＳ６０３において、資料情報を受信しない場合（ステップＳ６０３：Ｎｏ）は、ステップＳ６０５へ移行する。
【００９３】
ステップＳ６０３において、資料情報を受信した場合（ステップＳ６０３：Ｙｅｓ）は、ステップＳ６０３において受信された資料情報を、映像Ｉ／Ｆ２０４ｄを介して、ディスプレイ２１１ｄに出力する（ステップＳ６０４）。すなわち、ステップＳ６０４において、ディスプレイ２１１ｄの資料領域に表示される資料情報が、開催中のテレビ会議において送信・受信端末であるテレビ会議端末１１０ａ，１１０ｂ，１１０ｃと共有されることとなる。
【００９４】
ＣＰＵ２０１ｄは、受信端末であるテレビ会議端末１１０ｂ，１１０ｃに過去の資料情報が保存されているか否か判断する（ステップＳ６０５）。具体的には、ＣＰＵ２０１ｄは、通信Ｉ／Ｆ２０７ｄを介して、テレビ会議端末１１０ｂ，１１０ｃから図５に示したステップＳ５０８において通知される情報に基づいて、資料情報の有無に関する判断をおこなう。
【００９５】
ステップＳ６０５において、過去の資料情報が保存されていない場合（ステップＳ６０５：Ｎｏ）は、ステップＳ６０９へ移行する。ステップＳ６０５において、過去の資料情報が保存されている場合（ステップＳ６０５：Ｙｅｓ）は、ＣＰＵ２０１ｄは、通信Ｉ／Ｆ２０７ｄを介して、受信端末であるテレビ会議端末１１０ｂ，１１０ｃに対して、過去の資料情報の取得要求をおこなう（ステップＳ６０６）。取得要求は、たとえば、過去の資料情報を保存しているテレビ会議端末１１０ｂ，１１０ｃのうちいずれか一方に対して取得が必要である旨の要求をおこない、他方に対して取得の必要がない旨の要求をおこなう。
【００９６】
ＣＰＵ２０１ｄは、ステップＳ６０６においておこなわれた取得要求に応じて、通信Ｉ／Ｆ２０７ｄを介して、受信端末であるテレビ会議端末１１０ｂ，１１０ｃから過去の資料情報を受信する（ステップＳ６０７）。具体的には、たとえば、図５のステップＳ５０８においてテレビ会議端末１１０ｂ，１１０ｃから送信される資料情報を受信する。
【００９７】
ＣＰＵ２０１ｄは、ステップＳ６０７において、過去の資料情報を受信すると、参加者Ｄに対して、過去の資料情報を受信したことを報知する（ステップＳ６０８）。ステップＳ６０８における報知は、たとえば、ディスプレイ２１１ｄやスピーカ２１３ｄなどによっておこない、参加者Ｄの操作に応じて過去の資料情報を出力可能としてもよい。
【００９８】
ＣＰＵ２０１ｄは、テレビ会議が終了されたか否かを判断する（ステップＳ６０９）。テレビ会議の終了は、たとえば、参加者Ｄによる操作部２０６ｄの操作による指示や、通信Ｉ／Ｆ２０７ｄを介して受信されるテレビ会議端末１１０ａ，１１０ｂ，１１０ｃからの指示などに基づいておこなわれる。
【００９９】
ステップＳ６０９において、テレビ会議が終了されない場合（ステップＳ６０９：Ｎｏ）は、図５に示したステップＳ５０２へ戻って、受信端末として処理を繰り返す。ステップＳ６０９において、テレビ会議が終了された場合（ステップＳ６０９：Ｙｅｓ）は、そのまま一連の処理を終了する。
【０１００】
なお、本発明の各構成要素における処理と、本発明の実施形態の各処理または各機能とを関連付けて説明すると、ステップＳ４０５におけるＣＰＵ２０１および通信Ｉ／Ｆ２０７の処理によって、本発明の第一送信手段の処理が実行される。ステップＳＳ４０４におけるＣＰＵ２０１および映像Ｉ／Ｆ２０４の処理によって、本発明の第一出力手段の処理が実行される。ステップＳ５０２におけるＣＰＵ２０１および通信Ｉ／Ｆ２０７の処理によって、本発明の受信手段の処理が実行される。ステップＳ５０５におけるＣＰＵ２０１および映像Ｉ／Ｆ２０４の処理によって、本発明の第二出力手段および出力手段の処理が実行される。ステップＳ５０４におけるＣＰＵ２０１および記憶媒体２０８の処理によって、本発明の記憶手段の処理が実行される。ステップＳ５１０におけるＣＰＵ２０１および通信Ｉ／Ｆ２０７の処理によって、本発明の第二送信手段および送信手段の処理が実行される。
【０１０１】
以上説明したように、本発明の実施形態によれば、テレビ会議にあらたに参加する参加端末に対して資料情報を送信する場合、資料情報の送信元となる送信端末とは異なる受信端末によって過去の資料情報を送信することができる。換言すれば、参加端末は、共有対象の資料情報を送信中の送信端末とは異なる受信端末から過去分の資料情報を取得することができることとなる。したがって、送信端末に過度な負荷をかけることなく、あらたな参加端末もテレビ会議に関する資料情報をすべて取得することができる。また、受信端末に保存する資料情報は、前回と異なる資料情報とすることができるため、記憶媒体の記憶容量を適切に利用することができる。すなわち、テレビ会議に参加するすべての端末に対して、効率的にすべての資料情報を送信することができるため、円滑なテレビ会議の進行を図ることができる。
【０１０２】
（その他一部の変形例）
本発明の実施形態では特に、図４に示したステップＳ４０５において送信端末から所定時間ごとに連続的に資料情報を送信し、図５に示したステップＳ５０３において受信端末によって受信された資料情報が前回と同じか否かを判断して、資料情報の記憶をおこなうこととして説明したがこれに限ることはない。具体的には、送信端末によって資料情報の変化を検知して、資料情報の変化があった場合に保存フラグを付与して資料情報の送信をおこなってもよい。このようにすれば、送信端末の負荷を低減させることができる。また、送信端末による資料情報がページ単位の送信であれば、前回の資料情報に対する変化を検出しなくてもよい。
【０１０３】
また、図５に示したステップＳ５０３において、資料情報の変化によって資料情報の保存をおこなうこととしたが、これに限ることはない。具体的には、ステップＳ４０４やステップＳ５０５において共有して出力されている資料情報について、テレビ会議における状況変化があった場合に保存することとしてもよい。すなわち、テレビ会議において、出力されている資料情報について、参加者の注意が注がれた音声、同意を示す歓声、注目点を指し示すポインタ表示などがあった場合に保存することとしてもよい。このようにすれば、過去に共有された資料情報のうち、重要な資料情報を選択的に保存することができる。したがって、受信端末の記憶容量を節約しつつ、途中参加の参加端末に対して効率的にテレビ会議の要点となる過去の資料情報を送信することができる。
【０１０４】
また、本発明の実施形態では特に、図５に示したステップＳ５０９や図６に示したステップＳ６０６において送受信される取得要求に基づいて、過去の資料情報の送受信をおこなうこととしたが、これに限ることはない。具体的には、受信端末は、あらたな参加端末が接続された場合には、取得要求の有無に関わらず、記憶媒体に記憶されている過去の資料情報を送信することとしてもよい。このようにすれば、保存している資料情報の通知をおこなう処理や取得要求処理など関わらず、確実に過去の資料情報の送受信をおこなうことができる。
【０１０５】
また、過去の資料情報の取得要求は、受信端末と、参加端末との間の通信環境に基づいておこなうこととしてもよい。具体的には、ステップＳ６０２におけるＰ２Ｐ接続の際、本発明の取得手段として通信環境情報を取得して、通信環境情報に基づいて過去の資料情報の取得要求をおこなう構成としてもよい。あるいは、ステップＳ５０８における受信端末からの通知の際に通信環境情報を取得することとしてもよい。通信環境情報は、たとえば、端末間の帯域、中継装置の数、通信料金などでもよく、資料情報の送受信に効率的な受信端末に対して、過去の資料情報の取得要求をおこなうこととしてもよい。具体的には、帯域を例に挙げると、帯域の広い受信端末に対して資料情報の取得要求をおこなって、帯域の狭い受信端末に対して資料情報の取得要求をおこなわなかったり、帯域の広さの比率に合わせて資料情報の容量を分散した取得要求をおこなったりすることとしてもよい。このようにすれば、通信環境を最適に利用しつつ、資料情報の収集を図ることができる。
【０１０６】
また、本発明の実施形態では特に、各受信端末は、過去の資料情報について区別なく保存することとして説明したが、これに限ることはない。具体的には、受信端末が複数である場合、過去の資料情報を分散して保存することとしてもよい。ここで、過去の資料情報を分散して保存する場合について、図７〜図１０を用いて、本発明の変形例のテレビ会議システムとして説明する。なお、テレビ会議端末の機能的構成については図２とほぼ同様であるため説明を省略する。
【０１０７】
図７は、本発明の変形例のテレビ会議システムにおける資料情報の送信の一例を示す説明図である。なお、図７では、図３と同様に共有対象となる資料情報の送信元の送信端末であるテレビ会議端末１１０ａ、資料情報の受信先の受信端末であるテレビ会議端末１１０ｂ，１１０ｃによっておこなわれているテレビ会議に、テレビ会議端末１１０ｄが参加端末として途中参加する場合について説明する。
【０１０８】
図７において、テレビ会議端末１１０ａは、参加者Ａによる操作部２０６ａの操作入力にしたがって、共有対象となる資料情報７０１が選択される。具体的には、たとえば、テレビ会議端末１１０ａによる送信候補となるタイトルやアイコンなどの一覧から、共有対象となる資料情報７０１が選択される。テレビ会議端末１１０ａは、参加者Ａの操作入力にしたがって資料情報７０１をテレビ会議端末１１０ｂおよびテレビ会議端末１１０ｃへ送信する。資料情報７０１は、たとえば、テレビ会議端末１１０ａのディスプレイ２１１ａの資料領域に表示される画像について、映像Ｉ／Ｆ２０４ａによってキャプチャされる画像情報で、複数のページＲ１，Ｒ２，Ｒ３が連続的に送信される。なお、本変形例では、図８に後述するように送信側のテレビ会議端末１１０ａでページの区分けを検知する構成である。
【０１０９】
テレビ会議端末１１０ａは、資料情報７０１のページＲ１，Ｒ２，Ｒ３について、それぞれ保存を指示する保存要求信号７１０を対応付けて送信する。具体的には、図７の例では、受信端末のうち、テレビ会議端末１１０ｂではＲ１とＲ３を保存し、テレビ会議端末１１０ｃではＲ２を保存するような保存要求信号７１０を対応付けている。なお、保存要求信号７１０による保存の指示は、各テレビ会議端末１１０ｂ，１１０ｃに対して交互の保存に限ることはない。具体的には、受信端末の通信環境、処理性能、記憶容量などに応じて、適宜、資料情報の保存の負荷を分散させるように保存の指示をするように設定してもよい。
【０１１０】
テレビ会議端末１１０ｂ，１１０ｃは、テレビ会議端末１１０ａから送信された資料情報７０１を受信すると、ディスプレイ２１１ｂ，２１１ｃの資料領域に表示させるとともに、保存要求信号７１０にしたがって、それぞれ資料情報７０１を記憶媒体２０８ｂ，２０８ｃに記憶する。テレビ会議端末１１０ａ，１１０ｂ，１１０ｃは、あらたな参加端末であるテレビ会議端末１１０ｄからの接続要求７０２に応じて、各テレビ会議端末１１０でＰ２Ｐ接続をおこなう。
【０１１１】
テレビ会議端末１１０ａは、資料情報７０１以降も資料情報７０３を送信する。具体的には、テレビ会議端末１１０ａは、資料情報７０１のページＲ１，Ｒ２，Ｒ３以降のページＲ４，Ｒ５をテレビ会議端末１１０ｂ、１１０ｃ、１１０ｄに送信する。テレビ会議端末１１０ａは、資料情報７０３のページＲ４，Ｒ５についても、それぞれ保存を指示する保存要求信号７１１を対応付けて送信する。保存要求信号７１１は、あらたな参加端末であるテレビ会議端末１１０ｄに対しても設定される。
【０１１２】
テレビ会議端末１１０ｂ，１１０ｃ，１１０ｄは、テレビ会議端末１１０ａから送信された資料情報７０３を受信すると、ディスプレイ２１１ｂ，２１１ｃ，２１１ｄに表示させるとともに、保存要求信号７１１にしたがって、それぞれ資料情報７０３を記憶媒体２０８ｂ，２０８ｃ，２０８ｄに記憶する。すなわち、参加端末であるテレビ会議端末１１０ｄも、以降にあらたに参加する参加端末に対して過去の資料情報を送信できるように資料情報を保存することとなる。
【０１１３】
また、テレビ会議端末１１０ｂ，１１０ｃは、記憶媒体２０８ｂ，２０８ｃに記憶しているページＲ１，Ｒ２，Ｒ３を過去の資料情報７０４，７０５としてテレビ会議端末１１０ｄへ送信する。テレビ会議端末１１０ｄは、過去に共有された資料情報７０４，７０５をテレビ会議端末１１０ｂ，１１０ｃから受信して、参加者Ｄの要求次第で出力可能に保存しておく。
【０１１４】
図８を用いて、本発明の変形例の送信端末であるテレビ会議端末１１０ａの処理の内容について説明する。図８は、本発明の変形例の送信端末であるテレビ会議端末の処理の内容を示すフローチャートである。
【０１１５】
図８のフローチャートにおいて、まず、ＣＰＵ２０１ａは、テレビ会議が開始されたか否かを判断する（ステップＳ８０１）。ステップＳ８０１において、テレビ会議が開始されるのを待って、開始された場合（ステップＳ８０１：Ｙｅｓ）は、相互に送受信される参加者の映像情報や音声情報によってテレビ会議が実行され、ＣＰＵ２０１ａは、テレビ会議における資料情報を送信するか否かを判断する（ステップＳ８０２）。
【０１１６】
ステップＳ８０２において、資料情報を送信しない場合（ステップＳ８０２：Ｎｏ）は、ステップＳ８１０へ移行して処理を繰り返す。ステップＳ８０２において、資料情報を送信する場合（ステップＳ８０２：Ｙｅｓ）は、ＣＰＵ２０１ａは、現在開催されているテレビ会議に接続されているテレビ会議端末１１０ｂ，１１０ｃを送信先として設定する（ステップＳ８０３）。
【０１１７】
ＣＰＵ２０１ａは、ステップＳ８０２において送信すると判断された資料情報が、後述するステップＳ８０７において所定時間間隔で連続的に送信されている資料情報における前回と同じ資料情報か否かを判断する（ステップＳ８０４）。
【０１１８】
ステップＳ８０４において、資料情報が前回と同じ場合（ステップＳ８０４：Ｙｅｓ）は、ステップＳ８０６へ移行して、ＣＰＵ２０１ａは、ステップＳ８０２において送信されると判断された資料情報を、映像Ｉ／Ｆ２０４ａを介して、ディスプレイ２１１ａに出力する（ステップＳ８０６）。ステップＳ８０６においてディスプレイ２１１ａの資料領域に表示される資料情報が、テレビ会議においてテレビ会議端末１１０ｂ，１１０ｃと共有される構成である。
【０１１９】
ステップＳ８０４において、資料情報が前回と異なる場合（ステップＳ８０４：Ｎｏ）は、ＣＰＵ２０１ａは、資料情報に接続されている受信端末であるテレビ会議端末１１０に応じて保存要求信号を割り当てる（ステップＳ８０５）。そして、ＣＰＵ２０１ａは、ステップＳ８０２において送信されると判断された資料情報を、映像Ｉ／Ｆ２０４ａを介して、ディスプレイ２１１ａに出力する（ステップＳ８０６）。
【０１２０】
ＣＰＵ２０１ａは、ステップＳ８０６において出力された資料情報を、通信Ｉ／Ｆ２０７ａを介して、ステップＳ８０３において設定された送信先へ送信する（ステップＳ８０７）。
【０１２１】
ＣＰＵ２０１ａは、通信Ｉ／Ｆ２０７ａを介して、あらたな参加端末からの接続要求があったか否かを判断する（ステップＳ８０８）。ステップＳ８０８において、接続要求があった場合（ステップＳ８０８：Ｙｅｓ）は、ＣＰＵ２０１ａは、あらたな参加端末であるテレビ会議端末１１０ｄとの接続処理をおこない（ステップＳ８１１）、ステップＳ８０３へ戻って処理を繰り返す。すなわち、資料情報を送信中であれば、あらたな参加端末についても送信先に設定することとなる。
【０１２２】
ステップＳ８０８において、接続要求がない場合（ステップＳ８０８：Ｎｏ）は、ＣＰＵ２０１ａは、ステップＳ８０７において送信されている資料情報の送信を終了するか否かを判断する（ステップＳ８０９）。
【０１２３】
ステップＳ８０９において、資料情報の送信が終了しない場合（ステップＳ８０９：Ｎｏ）は、ステップＳ８０４に戻って処理を繰り返す。ステップＳ８０９において、資料情報の送信が終了する場合（ステップＳ８０９：Ｙｅｓ）は、ＣＰＵ２０１ａは、テレビ会議が終了されたか否かを判断する（ステップＳ８１０）。
【０１２４】
ステップＳ８１０において、テレビ会議が終了されない場合（ステップＳ８１０：Ｎｏ）は、ＣＰＵ２０１ａは、通信Ｉ／Ｆ２０７ａを介して、あらたな参加端末からの接続要求があったか否かを判断する（ステップＳ８１２）。
【０１２５】
ステップＳ８１２において、接続要求があった場合（ステップＳ８１２：Ｙｅｓ）は、ＣＰＵ２０１ａは、あらたな参加端末であるテレビ会議端末１１０ｄとの接続処理をおこない（ステップＳ８１３）、ステップＳ８０２へ戻って処理を繰り返す。ステップＳ８１０において、テレビ会議が終了された場合（ステップＳ８１０：Ｙｅｓ）は、そのまま一連の処理を終了する。
【０１２６】
図９を用いて、本発明の変形例の受信端末であるテレビ会議端末１１０ｂ，１１０ｃの処理の内容について説明する。図９は、本発明の変形例の受信端末であるテレビ会議端末の処理の内容を示すフローチャートである。なお、テレビ会議端末１１０ｂ，１１０ｃの処理はほぼ同様であるため、以下では、テレビ会議端末１１０ｂについて説明する。
【０１２７】
図９のフローチャートにおいて、まず、ＣＰＵ２０１ｂは、テレビ会議が開始されたか否かを判断する（ステップＳ９０１）。ステップＳ９０１において、テレビ会議が開始されるのを待って、開始された場合（ステップＳ９０１：Ｙｅｓ）は、相互に送受信される参加者の映像情報や音声情報によってテレビ会議が実行され、ＣＰＵ２０１ｂは、テレビ会議における資料情報が受信されたか否かを判断する（ステップＳ９０２）。
【０１２８】
ステップＳ９０２において、資料情報を受信しなかった場合（ステップＳ９０２：Ｎｏ）は、ステップＳ９０８へ移行して処理を繰り返す。ステップＳ９０２において、資料情報を受信した場合（ステップＳ９０２：Ｙｅｓ）は、ＣＰＵ２０１ｂは、ステップＳ９０２において受信された資料情報に、自端末への保存を指示する旨の保存要求信号が割り当てられているか否かを判断する（ステップＳ９０３）。具体的には、保存要求信号は、図８に示したステップＳ８０５において資料情報に対して設定される信号である。
【０１２９】
ステップＳ９０３において、保存要求信号が割り当てられていない場合（ステップＳ９０３：Ｎｏ）は、ステップＳ９０５へ移行して、ＣＰＵ２０１ｂは、ステップＳ９０２において受信された資料情報を、映像Ｉ／Ｆ２０４ｂを介して、ディスプレイ２１１ｂに出力する（ステップＳ９０５）。ステップＳ９０５においてディスプレイ２１１ｂに表示される資料情報が、テレビ会議においてテレビ会議端末１１０ａ，１１０ｃと共有される構成である。
【０１３０】
ステップＳ９０３において、保存要求信号が割り当てられている場合（ステップＳ９０３：Ｎｏ）は、ＣＰＵ２０１ｂは、記録媒体２０８ｂに資料情報を保存する（ステップＳ９０４）。ＣＰＵ２０１ｂは、ステップＳ９０４において保存された資料情報を、映像Ｉ／Ｆ２０４ｂを介して、ディスプレイ２１１ｂに出力する（ステップＳ９０５）。このように、保存要求信号が割り当てられた資料情報のみを保存することで、記憶媒体２０８の記憶容量の効率的な利用を図りつつ、あらたな参加端末に備えることができる。
【０１３１】
ＣＰＵ２０１ｂは、通信Ｉ／Ｆ２０７ｂを介して、あらたな参加端末からの接続要求があったか否かを判断する（ステップＳ９０６）。
【０１３２】
ステップＳ９０６において、あらたな参加端末が接続されなかった場合（ステップＳ９０６：Ｎｏ）は、ステップＳ９０９へ移行して処理を繰り返す。接続要求は、たとえば、あらたな参加端末であるテレビ会議端末１１０ｄから、ＳＩＰサーバなどを介しておこなわれる。ステップＳ９０６において、接続要求がない場合（ステップＳ９０６：Ｎｏ）は、ステップＳ９０９へ移行して処理を繰り返す。
【０１３３】
ステップＳ９０６において、接続要求があった場合（ステップＳ９０６：Ｙｅｓ）は、ＣＰＵ２０１ｂは、あらたな参加端末であるテレビ会議端末１１０ｄとの接続処理をおこなう（ステップＳ９０７）。
【０１３４】
ＣＰＵ２０１ｂは、ステップＳ９０４において保存されている資料情報を、通信Ｉ／Ｆ２０７ｂを介してあらたな参加端末であるテレビ会議端末１１０ｄに送信する（ステップＳ９０８）。ステップＳ９０４では、図８に示したステップＳ８０５において保存要求信号が割当てられた資料情報を保存しているため、各受信端末は、あらたな参加端末の取得要求がなくても、記憶媒体２０８に保存している過去の資料情報を送信する構成である。
【０１３５】
ＣＰＵ２０１ｂは、テレビ会議が終了されたか否かを判断する（ステップＳ９０９）。ステップＳ９０９において、テレビ会議が終了されない場合（ステップＳ９０９：Ｎｏ）は、ステップＳ９０２へ戻って処理を繰り返す。ステップＳ９０９において、テレビ会議が終了された場合（ステップＳ９０９：Ｙｅｓ）は、そのまま一連の処理を終了する。
【０１３６】
図１０を用いて、本発明の実施形態の参加端末であるテレビ会議端末１１０ｄの処理の内容について説明する。図１０は、本発明の実施形態の参加端末であるテレビ会議端末の処理の内容を示すフローチャートである。
【０１３７】
図１０のフローチャートにおいて、まず、ＣＰＵ２０１ｄは、現在開催されているテレビ会議に参加するか否かを判断する（ステップＳ１００１）。ステップＳ１００１において、テレビ会議に参加するのを待って、参加する場合（ステップＳ１００１：Ｙｅｓ）は、ＣＰＵ２０１ｄは、通信Ｉ／Ｆ２０７ｄを介して、現在開催されているテレビ会議に参加しているテレビ会議端末１１０ａ，１１０ｂ，１１０ｃの各端末とＰ２Ｐ接続をおこなう（ステップＳ１００２）。
【０１３８】
ＣＰＵ２０１ｄは、ステップＳ１００２においてＰ２Ｐ接続された送信端末であるテレビ会議端末１１０ａから、通信Ｉ／Ｆ２０７ｄを介して、資料情報を受信したか否かを判断する（ステップＳ１００３）。ステップＳ１００３において、資料情報を受信しない場合（ステップＳ１００３：Ｎｏ）は、ステップＳ１００７へ移行する。
【０１３９】
ステップＳ１００３において、資料情報を受信した場合（ステップＳ１００３：Ｙｅｓ）は、ＣＰＵ２０１ｄは、ステップＳ１００３において受信された資料情報に、自端末への保存を指示する旨の保存要求信号が割り当てられているか否かを判断する（ステップＳ１００４）。具体的には、保存要求信号は、図８に示したステップＳ８０５において資料情報に対して設定される信号である。
【０１４０】
ステップＳ１００４において、保存要求信号が割り当てられていない場合（ステップＳ１００４：Ｎｏ）は、ステップＳ１００６へ移行して、ＣＰＵ２０１ｄは、ステップＳ１００３において受信された資料情報を、映像Ｉ／Ｆ２０４ｄを介して、ディスプレイ２１１ｄに出力する（ステップＳ１００６）。ステップＳ１００６においてディスプレイ２１１ｄの資料領域に表示される資料情報が、テレビ会議において送信・受信端末であるテレビ会議端末１１０ａ，１１０ｂ，１１０ｃと共有される構成である。
【０１４１】
ステップＳ１００４において、保存要求信号が割り当てられている場合（ステップＳ１００４：Ｙｅｓ）は、ＣＰＵ２０１ｄは、記録媒体２０８ｄに資料情報を保存する（ステップＳ１００５）。ＣＰＵ２０１ｄは、ステップＳ１００５において保存された資料情報を、映像Ｉ／Ｆ２０４ｄを介して、ディスプレイ２１１ｄに出力する（ステップＳ１００６）。このように、参加端末によっても保存要求信号が割り当てられた資料情報を保存することで、以降に接続されるあらたな参加端末に対して受信端末として処理をおこなうことができる。
【０１４２】
ＣＰＵ２０１ｄは、通信Ｉ／Ｆ２０７を介して、受信端末であるテレビ会議端末１１０ｂ，１１０ｃから過去の資料情報を受信したか否かを判断する（ステップＳ１００７）。ステップＳ１００７において、過去の資料情報を受信しなかった場合（ステップＳ１００７：Ｎｏ）は、ステップＳ１００９へ移行して処理を繰り返す。ステップＳ１００７において、過去の資料情報を受信した場合（ステップＳ１００７：Ｙｅｓ）は、ＣＰＵ２０１ｄは、参加者Ｄに対して、過去の資料情報を受信したことを報知する（ステップＳ１００８）。
【０１４３】
ＣＰＵ２０１ｄは、テレビ会議が終了されたか否かを判断する（ステップＳ１００９）。ステップＳ１００９において、テレビ会議が終了されない場合（ステップＳ１００９：Ｎｏ）は、図９に示したステップＳ９０２へ戻って、受信端末として処理を繰り返す。ステップＳ１００９において、テレビ会議が終了された場合（ステップＳ１００９：Ｙｅｓ）は、そのまま一連の処理を終了する。
【０１４４】
以上説明したように、図７〜図１０を用いて説明した変形例によれば、テレビ会議に関する過去の資料情報を、複数の受信端末で分散して保存することができるため、テレビ会議システム全体として処理の効率化を図ることができる。また、保存の分散に際して、受信端末の通信環境、処理性能、記憶容量などに応じて設定することができるため、資料情報の保存の最適化を図ることができる。
【０１４５】
また、上述した説明では、実施形態および一部の変形例について別々の例として説明したが、これに限ることはない。すなわち、それぞれを組み合わせた構成として、実施形態および一部の変形例による手法を適宜組み合わせて利用してもよい。
【０１４６】
なお、本発明の実施形態および変形例で説明した方法は、あらかじめ用意されたプログラムをパーソナルコンピュータやワークステーションなどのコンピュータで実行することにより実現することができる。この通信プログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１４７】
１００  テレビ会議システム
１１０（１１０ａ，１１０ｂ，１１０ｃ，１１０ｄ）  テレビ会議端末
ＮＷ  ネットワーク
２００  バス
２０１  ＣＰＵ
２０２  ＲＡＭ
２０３  ＲＯＭ
２０４  映像Ｉ／Ｆ
２０５  音声Ｉ／Ｆ
２０６  操作部
２０７  通信Ｉ／Ｆ
２０８  記憶媒体
２１１  ディスプレイ
２１２  カメラ
２１３  スピーカ
２１４  マイク
【図１】
2012010042.tif 000003
【図２】
2012010042.tif 000004
【図３】
2012010042.tif 000005
【図４】
2012010042.tif 000006
【図５】
2012010042.tif 000007
【図６】
2012010042.tif 000008
【図７】
2012010042.tif 000009
【図８】
2012010042.tif 000010
【図９】
2012010042.tif 000011
【図１０】
2012010042.tif 000012